(57)【特許請求の範囲】
【請求項１】
筐体の内部に収納可能で折り曲げ自在の柔軟性を備え、前記筐体から引き出されたときに筐体の端部から吊り下がる状態となるワイヤーアンテナと、
このワイヤーアンテナの下端に取り付けられた錘部材と、
前記筐体の内部で前記ワイヤーアンテナと連結され、前記筐体の外部に突出した突き出し部の操作に応じて前記ワイヤーアンテナを前記筐体から引き出すか、または前記ワイヤーアンテナを引き上げて前記筐体内に収納する操作部と、
アンテナに給電するための給電部材とを有し、
前記錘部材は、前記ワイヤーアンテナの下端に絶縁部材を介して固定されたコイル状アンテナであり、
前記給電部材は、前記ワイヤーアンテナが前記筐体の内部に収納されたときには前記コイル状アンテナに給電し、前記ワイヤーアンテナが前記筐体の外部に引き出されたときには前記ワイヤーアンテナに給電することを特徴とする携帯無線機。
【発明の詳細な説明】
【０００１】
【発明の属する技術分野】
本発明は、例えば携帯電話機等の携帯無線機に係り、特に携帯無線機のアンテナ構造に関するものである。
【０００２】
【従来の技術】
従来の携帯無線機では、引き出し及び収納自在なホイップアンテナあるいはコイル状の固定式アンテナを使用する場合が多い。携帯無線機のアンテナ利得劣化要因としては、電波の到来波とアンテナ最大放射レベル及び、偏波面が一致しないことによる損失と、人体による損失などが考えられる。具体的には、屋外での使用を想定した場合、到来波はほぼ水平方向であり、ＰＤＣ（Personal Digital Cellular ）方式では垂直偏波で送信をしているため、到来波も垂直偏波が主である。したがって、携帯無線機用のアンテナは水平方向への放射パターン変化の少ない、８の字放射パターン特性となる１／２波長のアンテナが用いられることが多い。このようなアンテナは垂直に立てて使用するのが理想的である。
【０００３】
【発明が解決しようとする課題】
しかしながら、実際の通話状態においては携帯無線機が傾けて使用されることが多く、これによりアンテナ自身も傾けられるため、アンテナ利得が低下するという問題点があった。また、携帯無線機は人体頭部に密着して使用されるため、人体によるアンテナ利得の損失が避けられないという問題点があった。さらに、通話時においては、人体頭部による電波放射の影ができるため、放射パターンが歪み、アンテナ利得が低下するという問題点があった。
本発明の目的は、筐体の向きに関係なく、常に良好なアンテナ利得を得ることができる携帯無線機を提供することにある。また、本発明の目的は、アンテナを人体頭部から離すことにより、良好なアンテナ利得を得ることができる携帯無線機を提供することにある。
【０００４】
【課題を解決するための手段】
本発明の携帯無線機は、筐体（２）の内部に収納可能で折り曲げ自在の柔軟性を備え、前記筐体から引き出されたときに筐体の端部から吊り下がる状態となるワイヤーアンテナ（６）と、このワイヤーアンテナの下端に取り付けられた錘部材（８）と、前記筐体の内部で前記ワイヤーアンテナと連結され、前記筐体の外部に突出した突き出し部の操作に応じて前記ワイヤーアンテナを前記筐体から引き出すか、または前記ワイヤーアンテナを引き上げて前記筐体内に収納する操作部と、アンテナに給電するための給電部材（１１）とを有し、前記錘部材は、前記ワイヤーアンテナの下端に絶縁部材（７）を介して固定されたコイル状アンテナであり、前記給電部材は、前記ワイヤーアンテナが前記筐体の内部に収納されたときには前記コイル状アンテナに給電し、前記ワイヤーアンテナが前記筐体の外部に引き出されたときには前記ワイヤーアンテナに給電するものである。
【０００５】
【発明の実施の形態】
以下、本発明の実施の形態について図面を参照して詳細に説明する。図１は本発明の実施の形態となる携帯無線機のアンテナの構造を示す正面図である。ただし、図１は携帯無線機の後述する入力キーボード筐体を透視して内部を見ているものとする。本実施の形態の携帯無線機は、表示器が設けられた表示画面筐体１と各種の入力キーが設けられた入力キーボード筐体２とをヒンジ部３によって連結することにより、表示画面筐体１と入力キーボード筐体２とを折り合わせることが可能な折り畳み型の筐体構造を有している。
【０００６】
入力キーボード筐体２の内部には、送信データを無線信号に変換してアンテナから送信させると共に、アンテナで受信された無線信号を受信データに変換する無線回路４と、アンテナと無線回路４とのインピーダンス整合をとるアンテナ整合回路５とが搭載されている。
【０００７】
本実施の形態のアンテナは、折り曲げ自在で柔軟な銅線が埋め込まれた、折り曲げ自在の柔軟性を備えた線状のワイヤーアンテナ６と、このワイヤーアンテナ６の一方の先端部に絶縁部材７を介して固定されたコイル状アンテナ８とからなる。絶縁部材７により、ワイヤーアンテナ６とコイル状アンテナ８は、電気的に絶縁されている。
【０００８】
ワイヤーアンテナ６のもう一方の端部には、導電性の給電部材１１から給電を受けるための給電部９と、ワイヤーアンテナ６を入力キーボード筐体２から引き出したり、入力キーボード筐体２内に収納するための操作部１２とが設けられている。この操作部１２を動かすことで、ワイヤーアンテナ６を入力キーボード筐体２内部に収納したり、入力キーボード筐体２から引き出したりすることができる。コイル状アンテナ８の端部には、給電部材１１から給電を受けるための給電部１０が設けられている。
【０００９】
図１（ａ）はワイヤーアンテナ６を入力キーボード筐体２内に収納させた状態を示している。ワイヤーアンテナ６が入力キーボード筐体２内に収納されている状態では、コイル状アンテナ８のみが入力キーボード筐体２の外に突出し、給電部１０と給電部材１１とが接触する。これにより、アンテナ整合回路５から給電部材１１を介してコイル状アンテナ８に給電が行われる。絶縁部材７によりワイヤーアンテナ６とコイル状アンテナ８が絶縁されていることから、ワイヤーアンテナ６には給電されない。コイル状アンテナ８のみに給電することで、ワイヤーアンテナ収納時のアンテナ利得特性の最適化を図る。
【００１０】
図１（ｂ）はワイヤーアンテナ６を入力キーボード筐体２から引き出した状態を示している。この状態にするには、操作部１２を操作すればよい。操作部１２は、その一部が入力キーボード筐体２の外部に突出し、かつ入力キーボード筐体２の側面部材と滑動自在に咬合しており、入力キーボード筐体２の側面に沿って滑動することが可能である。操作部１２の突き出し部を掴んで操作部１２を下向きに滑動させると、操作部１２と連結しているワイヤーアンテナ６が入力キーボード筐体２から引き出される。なお、コイル状アンテナ８を引いて、ワイヤーアンテナ６を入力キーボード筐体２から引き出してもよい。
【００１１】
ワイヤーアンテナ６が入力キーボード筐体２から引き出された状態では、給電部９と給電部材１１とが接触する。これにより、アンテナ整合回路５から給電部材１１を介してワイヤーアンテナ６に給電が行われる。絶縁部材７によりワイヤーアンテナ６とコイル状アンテナ８が絶縁されていることから、コイル状アンテナ８には給電されない。ワイヤーアンテナ６のみに給電することで、ワイヤーアンテナ引き出し時のアンテナ利得特性の最適化を図る。
【００１２】
操作部１２の突き出し部を掴んで操作部１２を上向きに滑動させると、操作部１２と連結しているワイヤーアンテナ６が引き上げられ、図１（ａ）で示したように入力キーボード筐体２内に収納される。
【００１３】
図２は本実施の形態の携帯無線機の実使用時の様子を示す図であり、１３は人体頭部を示す。図２（ａ）は携帯無線機を右手で持った状態、図２（ｂ）は携帯無線機を左手で持った状態を示している。ワイヤーアンテナ６を入力キーボード筐体２から引き出すと、折り曲げ自在で柔軟なワイヤーアンテナ６は、コイル状アンテナ８と自身の重みにより、右手持ちと左手持ちに関係なく、図２（ａ）、図２（ｂ）に示すように常に鉛直方向を向く構造となっている。 これにより、偏波不整合による損失を避けることができる。
【００１４】
なお、本実施の形態では、折り畳み型の携帯無線機を例にとって説明したが、これに限るものではなく、折り畳み型以外の携帯無線機に本発明を適用してもよいことは言うまでもない。
【００１５】
【発明の効果】
本発明によれば、筐体の端部に吊着された、折り曲げ自在の柔軟性を備えたワイヤーアンテナと、このワイヤーアンテナの下端に取り付けられた錘部材とを設けることにより、携帯無線機の筐体の向きに関係なく、ワイヤーアンテナが自身と錘部材の重みにより、常に鉛直方向を向くので、偏波不整合によるアンテナ利得の低下を避けることができる。また、筐体の端部からワイヤーアンテナを吊り下げることにより、ワイヤーアンテナが人体頭部から離れるので、アンテナ利得に与える人体の影響を軽減することができる。また、折り曲げ自在の柔軟性を備えたワイヤーアンテナを用いることにより、従来の線状アンテナのようなエレメントの破損を防ぐことができる。
【００１６】
また、筐体の内部に収納可能なワイヤーアンテナを用いることにより、待ち受け時にはワイヤーアンテナを筐体内部に収納することができるので、使用者にとっての利便性を向上させることができ、またワイヤーアンテナが他の障害物に触れることによる特性劣化を防ぐことができる。また、ワイヤーアンテナが筐体の内部に収納されたときにはコイル状アンテナのみに給電し、ワイヤーアンテナが筐体の外部に引き出されたときにはワイヤーアンテナのみに給電することにより、ワイヤーアンテナ収納時とワイヤーアンテナ引き出し時のそれぞれにおいてアンテナ利得特性の最適化を図ることができる。
【図面の簡単な説明】
【図１】  本発明の実施の形態となる携帯無線機のアンテナの構造を示す正面図である。
【図２】  本発明の実施の形態における携帯無線機の実使用時の様子を示す図である。
【符号の説明】
１…表示画面筐体、２…入力キーボード筐体、３…ヒンジ部、４…無線回路、５…アンテナ整合回路、６…ワイヤーアンテナ、７…絶縁部材、８…コイル状アンテナ、９、１０…給電部、１１…給電部材、１２…操作部。
【図１】
0004186433.tif 000002
【図２】
0004186433.tif 000003